(57)【要約】【課題】取出口を閉じた封緘片を中央部分から捲り上げるときに、接着部に対する引き分かれ境界の方向が交差し易くし、開封をスムーズに行えるようにする。【解決手段】封緘片５と封筒外形紙３の対応部分１０との対向面５ａ，１０ａの内、一方の対向面に接着剤７が封筒幅方向に亘って線状に塗布され、他方の対向面に接着剤７が対向する位置に亘って剥離ニス印刷面１３を不連続にして配置した軽剥離部１１が設けられ、軽剥離部１１の中央部側の剥離ニス印刷面１３の封筒幅方向での長さ寸法を、側部側の剥離ニス印刷面１３の封筒幅方向での長さ寸法より大きくした。【選択図】　　図１
2004067164.tif 000002
【特許請求の範囲】
【請求項１】
重ね合わせて一辺を取出口とする封筒部を形成する一対の封筒外形紙と、一方の封筒外形紙に連接されて前記封筒部の取出口を閉止可能な封緘片とからなる封筒用シートであって、前記封緘片とこの封緘片が取出口を閉止したときに対応する封筒外形紙の対応部分との対向面のいずれか一方に、封筒部幅方向となる方向に亘って剥離ニス印刷面を不連続にして配置してなる軽剥離部が設けられ、前記軽剥離部の中央部側の剥離ニス印刷面の封筒幅方向での長さ寸法が、側部側の剥離ニス印刷面の封筒幅方向での長さ寸法より大とし、該軽剥離部に重なるようにして接着剤が線状に塗布されていることを特徴とする封筒用シート。
【請求項２】
重ね合わせて一辺を取出口とする封筒部を形成する一対の封筒外形紙と、一方の封筒外形紙に連接されて前記封筒部の取出口を閉止可能な封緘片とからなる封筒用シートであって、前記封緘片とこの封緘片が取出口を閉止したときに対応する封筒外形紙の対応部分との対向面のいずれか一方に、封筒部幅方向となる方向に亘って剥離ニス印刷面を不連続にして配置してなる軽剥離部が設けられ、前記軽剥離部の中央部側の剥離ニス印刷面の封筒幅方向での長さ寸法が、側部側の剥離ニス印刷面の封筒幅方向での長さ寸法より大とし、前記該軽剥離部に重なる位置に接着剤が線状に塗布されていることを特徴とする封筒用シート。
【請求項３】
一対の封筒外形紙を重ねて一辺を取出口とした封筒部を備え、一方の封筒外形紙に連接された封緘片を折り倒して前記取出口を閉じ、該封緘片とこの封緘片が重なる他方の封筒外形紙の対応部分とを接着剤を介して貼り合わせた封筒であって、前記封緘片と封筒外形紙の対応部分との対向面の内、一方の対向面に前記接着剤が封筒幅方向に亘って線状に塗布され、他方の対向面に前記接着剤が対向する位置に亘って剥離ニス印刷面を不連続にして配置してなる軽剥離部が設けられ、前記軽剥離部の中央部側の剥離ニス印刷面の封筒幅方向での長さ寸法が、側部側の剥離ニス印刷面の封筒幅方向での長さ寸法より大であることを特徴とする封筒。
【発明の詳細な説明】
【０００１】
【発明の属する技術分野】
本発明は封筒用シートと封筒に関するものである。
【０００２】
【発明が解決使用する課題】
従来から各種の書面などを送付するものとしては例えば板紙製の一対の封筒外形紙からなる封筒が用いられており、封筒外形紙を重ね合わせた封筒部における一辺の取出口を通して書面などを入れ、一方の封筒外形紙の取出口側の辺に連接された封緘片を折り重ねて取出口を閉止するようにしている。そして、封緘片による取出口の閉止、すなわち、封緘に際しては封緘片とこの封緘片が重なる他方の封筒外形紙の対応部分とを、封筒幅方向に亘って線状に塗布された接着剤を介して貼り合わせて確実に取出口が閉じられるようにしている。
【０００３】
ところで、封筒の受取人がこの封筒を開封する場合、封緘片の中央部分を捲るようにしてこの封緘片と封筒外形紙の対応部分との間を引き開くことが一般的に行われているが、封緘片と対応部分との接着部が上記接着剤によって封筒幅方向に亘って帯状に形成されていることから、封緘片を捲るときにつぎのような不都合が生じ易くなっている。
すなわち、引き開き初期の時点において、封緘片と対応部分との引き分かれ境界が封緘片と対応部分との接着部に略平行となり、引き分かれ境界が比較的に接着部方向（封筒幅方向）に長くなって引っ張り力が分散している。そして、長い状態のまま引き分かれ境界が接着部を横断する方向に移動するように封緘片を引っ張るため、抵抗が大きくなって封緘片の捲り上げが中央部分で進み難く、過度の引っ張り力を加えて封緘片を破ってしまうという不都合も発生するという問題がある。
本発明者は封筒の封緘片と対応部分との接着部を分離するに際して、その接着部の方向と引き分かれ境界の方向とを交差させるようにすることで、接着部に対する引き分かれ境界の長さが短く、その引き分かれ境界がスムーズに移動して封緘片と対応部分とが分離し易くなる点に着目した。そこで本発明は取出口を閉じた封緘片をその中央部分から捲り上げる開封初期の時点で、接着部に対する引き分かれ境界の方向が交差し易くすることを課題とし、開封が過大な引っ張り力を要するとなくスムーズに行えるようにすることを目的とするものである。
【０００４】
【課題を解決するための手段】
本発明は上記課題を考慮してなされたもので、重ね合わせて一辺を取出口とする封筒部を形成する一対の封筒外形紙と、一方の封筒外形紙に連接されて前記封筒部の取出口を閉止可能な封緘片とからなる封筒用シートであって、前記封緘片とこの封緘片が取出口を閉止したときに対応する封筒外形紙の対応部分との対向面のいずれか一方に、封筒部幅方向となる方向に亘って剥離ニス印刷面を不連続にして配置してなる軽剥離部が設けられ、前記軽剥離部の中央部側の剥離ニス印刷面の封筒幅方向での長さ寸法が、側部側の剥離ニス印刷面の封筒幅方向での長さ寸法より大とし、該軽剥離部に重なるようにして接着剤が線状に塗布されていることを特徴とする封筒用シートを提供して、上記課題を解消するものである。
【０００５】
また、もう一つの発明は、重ね合わせて一辺を取出口とする封筒部を形成する一対の封筒外形紙と、一方の封筒外形紙に連接されて前記封筒部の取出口を閉止可能な封緘片とからなる封筒用シートであって、前記封緘片とこの封緘片が取出口を閉止したときに対応する封筒外形紙の対応部分との対向面のいずれか一方に、封筒部幅方向となる方向に亘って剥離ニス印刷面を不連続にして配置してなる軽剥離部が設けられ、前記軽剥離部の中央部側の剥離ニス印刷面の封筒幅方向での長さ寸法が、側部側の剥離ニス印刷面の封筒幅方向での長さ寸法より大とし、前記該軽剥離部に重なる位置に接着剤が線状に塗布されていることを特徴とする封筒用シートであり、この封筒用シートを提供して上記課題を解消するものである。
【０００６】
さらにもう一つの発明は、一対の封筒外形紙を重ねて一辺を取出口とした封筒部を備え、一方の封筒外形紙に連接された封緘片を折り倒して前記取出口を閉じ、該封緘片とこの封緘片が重なる他方の封筒外形紙の対応部分とを接着剤を介して貼り合わせた封筒であって、前記封緘片と封筒外形紙の対応部分との対向面の内、一方の対向面に前記接着剤が封筒幅方向に亘って線状に塗布され、他方の対向面に前記接着剤が対向する位置に亘って剥離ニス印刷面を不連続にして配置してなる軽剥離部が設けられ、前記軽剥離部の中央部側の剥離ニス印刷面の封筒幅方向での長さ寸法が、側部側の剥離ニス印刷面の封筒幅方向での長さ寸法より大であることを特徴とする封筒であり、この封筒を提供して上記課題を解消するものである。
【０００７】
【発明の実施の形態】
つぎに本発明を図１から図５に示す実施の形態に基づいて詳細に説明する。
図中１は封筒で、該封筒１は、一対の封筒外形紙２、３が折り部４を介して連接するとともに、一方の封筒外形紙２の前記折り部４とは反対側の辺に折り部４を介して封緘片５を連接した封筒用シート６から作成されているものである。そして、封筒外形紙２、３の重ね合わせ、折り部４と直交して相対する辺部同士を接着剤７を介して貼り合わせ、一辺を取出口８とした封筒部９が形成され、この封筒部９に収容物Ａを入れた状態で前記封緘片５を封筒外形紙３側に折り重ねて取出口８を閉止し、重ねられた封緘片５と対応する封筒外形紙３の対応部分１０とを接着剤７により貼り合わせている。
【０００８】
上記封筒１においては、封緘片５の対向面５ａに接着剤７を封筒部幅方向に亘って線状にして塗布して（図４参照）封緘片５を封筒外形紙３側に折り倒すことで、封緘片５と上記対応部分１０との対向面５ａ、１０ａが接着剤７によって貼り合わされ、封緘片５と対応部分１０の接着部１２が封筒部幅方向に亘って形成されている。前記接着剤７の接着力は、対応部分１０の対向面１０ａに直接貼り付けられる部分で所定の引っ張り力を加えることで封緘片５と対応部分１０とが分離するように調整されている。
そして、図２に示すように対応部分１０の対向面１０ａにおいて上記接着剤７の位置に重なるようにして封筒部幅方向に亘る軽剥離部１１が設けられている。この軽剥離部１１は剥離ニスを不連続に印刷してなるもので、個々の剥離ニス印刷面１３の位置に重なった接着剤７の対応部分１０側への接着力は、この接着剤７が直接対応部分１０側に接着している部分での接着力より小さくなっている。
なお、接着剤７が重なる位置に複数の剥離ニス印刷面１３があるが、接着部１２全体では、封筒１を通常の取り扱いを行ったときに他の物が封緘片５に引っ掛るようなことが生じてもその封緘片５が捲り上がらず、取出口８の閉止状態を確実に維持できるものとしている。
【０００９】
軽剥離部１１では剥離ニス印刷面１３が不連続にして位置しており、封筒部幅方向に直交する方向での寸法を同じにした状態で、中央部側の剥離ニス印刷面１３の封筒幅方向での長さ寸法Ｂが、側部側の剥離ニス印刷面１３の封筒幅方向での長さ寸法Ｃより大とし、そして、中央部側の剥離ニス印刷面間１４の長さ寸法Ｄが、側部側の剥離ニス印刷面間１４の長さ寸法Ｅより小さくしている。なお、軽剥離部１１の封筒部幅方向に直交する方向での寸法は接着剤７の線幅より大である。
このように接着部１２において接着剤７が重なる軽剥離部１１の中央部側の剥離ニス印刷面１３の長さ寸法Ｂが長いことから、図２に示すように封緘片５の中央部を捲り上げるようにして接着部１２を引き開くと、引き分かれ境界Ｘが引き開き初期の時点で封緘片５の基端側に向けて凸となる形状で接着部１２を横断する方向に進み、二つに分かれた引き分かれ境界Ｘそれぞれの方向が接着部１２の方向に対して交差するようになり、このまま封緘片５と対応部１０との間を引き開くようにすれば、引き分かれ境界Ｘの方向が接着部１２の方向に交差する状態のまま、軽剥離部１１の端部側に向けて剥離ニス印刷面１３の部分と剥離ニス印刷面間１４の部分とを交互に進むようになる（図３参照）。
【００１０】
上記封筒１では、軽剥離部１１の中央部から側部側にかけて、剥離ニス印刷面１３の長さは徐々に短くなるとともに、剥離ニス印刷面間１４の長さが徐々に長くなって、接着部１２全体として適正に封緘片５と対応部分１０との対向面５ａ，１０ａを貼り合わせているが、封緘片５をその中央部分から開封のために捲り上げるようにすれば、上述したように、剥離ニス印刷面１３の部分と剥離ニス印刷面間１４の部分とのいずれの部分でも、引き分かれ境界Ｘの方向が接着部１２の方向に交差するようにして引き分かれ境界Ｘが移動する。そのため、二つの引き分かれ境界Ｘの長さは短くなっており、長さの短い引き分かれ境界Ｘに封緘片５と対応部分１０とを引き分ける引っ張り力が加わって、封緘片５の捲り上げがスムーズに行われて、開封操作に支障を来たすことがない。
なお、上記封筒１において封緘片５の対向面５ａに接着剤７が塗布され、対応部分１０の対向面１０ａに軽剥離部１１を設けたが、後述するように封緘片５の対向面５ａに軽剥離部１１を設け、対応部分１０の対向面１０ａに接着剤７を塗布するようにしてもよい。
【００１１】
図４は上記封筒１を得るための封筒用シート６を示していて、一対の封筒外形紙２、３が折り部４を介して連接するとともに、一方の封筒外形紙２の前記折り部４とは反対側の辺に折り部４を介して封緘片５を連接している。そして、前記封筒外形紙２，３の折り部４と直交し折り合わせたときに対向する辺部それぞれに接着剤７が塗布されているとともに、封緘片５の上記対向面５ａにおける折り部４とは反対側の辺に沿って接着剤７が塗布される。さらに、封緘片５を折り重ねたときの封筒外形紙３の対応部分１０の対向面１０ａであって、封緘片５を折り重ねたときの接着剤７に対応する位置に上記軽剥離部１１が設けられているものである。
この封筒用シート１では封緘片５の対向面５ａに接着剤７が塗布され、対応部分１０の対向面１０ａに軽剥離部１１が設けられているが、逆に封緘片５の対向面５ａに軽剥離部１１を設け、対応部分１０の対向面１０ａに接着剤７を塗布するようにしてもよい。
【００１２】
さらに図５は封筒用シート６の他の例を示していて、上記封緘片５の折り部４とは反対側の辺に沿って上記該軽剥離部１１を設け、この軽剥離部１１に重なるようにして接着剤７を塗布してもよい。そして、この軽剥離部１１に接着剤７を重ね合わせる構成を、前記封緘片５ではなく対応部分１０の対向面１０ａに設けるようにしてもよい。
なお、接着剤７はホットメルトとしたり、通常の状態では接着力を呈さずに所要の接着条件を付与することで接着力を生じるものとしてもよく、必要に応じて選択することが可能である。
【００１３】
【発明の効果】
以上説明した本発明により、封筒部の取出口を閉止する封緘片と対向する対応部分とを接着する接着剤が、剥離ニス印刷面を不連続にした軽剥離部に重なるようにしており、その軽剥離部の中央部の剥離ニス印刷面の長さが側部の剥離ニス印刷面の長さより長く設けられているため、封緘片を中央から捲り上げするときに、封緘片と対応部分とが分けられる引き分かれ境界が接着部の方向に対して交差する方向となり、そして、接着部に対して引き分かれ境界の長さが短くなって、その短い引き分かれ境界に引っ張り力が加わるようになり、適正な引っ張り力を加えて封緘片を捲り上げるようにすることで、封緘片と対応部分とが分離して開封操作がスムーズに行え、封緘片の破れや取出口回りの破損を生じさせることがないなど、実用性に優れた効果を奏するものである。
【図面の簡単な説明】
【図１】本発明に係る封筒の一例を一部切り欠いて示す説明図である。
【図２】一例における封緘片の中央部を捲り上げた状態を示す説明図である。
【図３】接着部に対する引き分かれ境界の移動を示す説明図である。
【図４】封筒用シートの一例を示す説明図である。
【図５】封筒用シートの他の例を示す説明図である。
【符号の説明】
１…封筒
２，３…封筒外形紙
５…封緘片
５ａ…対向面
６…封筒用シート
７…接着剤
１０…対応部分
１０ａ…対向面
１１…軽剥離部
１２…接着部
１３…剥離ニス印刷面
【図１】
2004067164.tif 000003
【図２】
2004067164.tif 000004
【図３】
2004067164.tif 000005
【図４】
2004067164.tif 000006
【図５】
2004067164.tif 000007